(57)【特許請求の範囲】
【請求項１】
入力された画像信号に尖鋭度補正を行う画像処理装置であって、
前記入力された画像信号から明度信号および色度信号を抽出する抽出手段と、
前記明度信号に基づきエッジ量を抽出するエッジ量抽出手段と、
前記色度信号に基づき彩度成分を抽出する彩度抽出手段と、
前記彩度抽出手段で抽出される前記彩度成分に基づいて前記入力された画像信号が有彩色であるか無彩色であるかを判定する無彩色有彩色判定手段と、
前記彩度抽出手段で抽出される彩度成分および前記無彩色有彩色判定手段で判定された判定結果に応じて前記エッジ量抽出手段で抽出されたエッジ量に基づくエッジ部の強調量を前記明度信号と前記色度信号とに分配する分配手段と、
前記分配手段で分配されたエッジ部の強調量で前記明度信号および色度信号を補正するエッジ強調手段とを備え、
前記分配手段は、
前記明度信号に対して、前記無彩色有彩色判定手段により無彩色と判定された場合には前記強調量をすべて分配し、有彩色と判定された場合には、さらに前記彩度成分と予め定められた第１の閾値とを比較して、該彩度成分が該閾値よりも大きい場合には前記強調量の分配を行わず、前記彩度成分が前記第１の閾値よりも小さい場合には該彩度成分が高くなるにつれて前記明度信号に対する分配比率が小さくなるように前記強調量を分配し、
前記色度信号に対して、前記無彩色有彩色判定手段によって無彩色と判定された場合には前記強調量の分配を行わず、有彩色と判定された場合には、さらに前記彩度成分と予め定められた第２の閾値とを比較して、該彩度成分が該第２の閾値よりも大きい場合には前記強調量をすべて分配し、前記彩度成分が前記第２の閾値よりも小さい場合には該彩度成分が高くなるにつれて前記色度信号に対する分配比率が大きくなるように前記強調量を分配することを特徴とする画像処理装置。
【請求項２】
前記入力される画像信号はＲＧＢ信号であり、更に前記エッジ強調手段での強調明度信号および色度信号をＲＧＢ信号に変換する変換手段を備えることを特徴とする請求項１記載の画像処理装置。
【請求項３】
前記抽出手段は、入力画像信号を明度信号および、２成分からなる色度信号に変換することを特徴とする請求項１又は２に記載の画像処理装置。
【請求項４】
更に、前記明度信号に対してＮラインの遅延を行なうとともに前記色度信号に対してＮ／２ラインの遅延をおこなう遅延手段を有することを特徴とする請求項１から３のいずれかに記載の画像処理装置。
【請求項５】
前記彩度抽出手段は、前記遅延手段によってＮ／２ライン遅延された色度信号に対しＮ／２＋１ラインの空間フィルタリング処理を行なうことを特徴とする請求項４記載の画像処理装置。
【請求項６】
前記無彩色有彩色判定手段は、前記遅延手段によってＮ／２ライン遅延された色度信号に対しＮ／２＋１ラインの空間フィルタリング処理を行なうことを特徴とする請求項４記載の画像処理装置。
【請求項７】
前記エッジ強調手段は、前記無彩色有彩色判定手段によって画像が無彩色と判定された場合、色度信号に対し色度成分を除去する補正を行なうことを特徴とする請求項３から６のいずれかに記載の画像処理装置。
【請求項８】
入力された画像信号に尖鋭度補正を行う画像処理方法であって、
前記入力された画像信号から明度信号および色度信号を抽出する抽出工程と、
前記明度信号に基づきエッジ量を抽出するエッジ量抽出工程と、
前記色度信号に基づき彩度成分を抽出する彩度抽出工程と、
前記彩度抽出工程で抽出される彩度成分に基づいて前記入力画像信号が有彩色であるか無彩色であるかを判定する無彩色有彩色判定工程と、
前記彩度抽出工程で抽出される彩度成分および前記無彩色有彩色判定手段で判定された判定結果に応じて前記エッジ量抽出工程で抽出されたエッジ量に基づくエッジ部の強調量を前記明度信号と前記色度信号とに分配する分配工程と、
前記分配工程で分配されたエッジ部の強調量で前記明度信号および色度信号を補正するエッジ強調工程とを備え、
前記分配工程は、
前記明度信号に対して、前記無彩色有彩色判定工程により無彩色と判定された場合には前記強調量をすべて分配し、有彩色と判定された場合には、さらに前記彩度成分と予め定められた第１の閾値とを比較して、該彩度成分が該閾値よりも大きい場合には前記強調量の分配を行わず、前記彩度成分が前記第１の閾値よりも小さい場合には該彩度成分が高くなるにつれて前記明度信号に対する分配比率が小さくなるように前記強調量を分配し、
前記色度信号に対して、前記無彩色有彩色判定工程によって無彩色と判定された場合には前記強調量の分配を行わず、有彩色と判定された場合には、さらに前記彩度成分と予め定められた第２の閾値とを比較して、該彩度成分が該第２の閾値よりも大きい場合には前記強調量をすべて分配し、前記彩度成分が前記第２の閾値よりも小さい場合には該彩度成分が高くなるにつれて前記色度信号に対する分配比率が大きくなるように前記強調量を分配することを特徴とする画像処理方法。
【請求項９】
前記入力される画像信号はＲＧＢ信号であり、更に前記エッジ強調工程での強調明度信号および色度信号をＲＧＢ信号に変換する変換工程を備えることを特徴とする請求項８記載の画像処理方法。
【請求項１０】
前記抽出工程は、入力画像信号を明度信号および、２成分からなる色度信号に変換することを特徴とする請求項８又は９に記載の画像処理方法。
【請求項１１】
更に、前記明度信号に対してＮラインの遅延を行なうとともに前記色度信号に対してＮ／２ラインの遅延をおこなう遅延工程を有することを特徴とする請求項８から１０のいずれかに記載の画像処理方法。
【請求項１２】
前記彩度抽出工程は、前記遅延工程によってＮ／２ライン遅延された色度信号に対しＮ／２＋１ラインの空間フィルタリング処理を行なうことを特徴とする請求項１１記載の画像処理方法。
【請求項１３】
前記無彩色有彩色判定工程は、前記遅延工程によってＮ／２ライン遅延された色度信号に対しＮ／２＋１ラインの空間フィルタリング処理を行なうことを特徴とする請求項１１記載の画像処理方法。
【請求項１４】
前記エッジ強調工程は、前記無彩色有彩色判定工程によって画像が無彩色と判定された場合、色度信号に対し色度成分を除去する補正を行なうことを特徴とする請求項１１から１３のいずれかに記載の画像処理方法。
【発明の詳細な説明】
【０００１】
【発明の属する技術分野】
本発明は画像処理装置及び方法に関するものであり、特に入力された画像信号に空間周波数特性の補正処理を行う画像処理装置及び方法に関するものである。
【０００２】
【従来の技術】
従来のカラー画像処理装置の一例を、カラー複写機におけるカラー画像処理を具体例として図１２を参照して以下に説明する。図１２中、１０１はカラー複写機のイメージリーダ部などのカラー画像入力手段であり、カラー画像の各画素についてＲＧＢに色分解された３色分解信号Ｒ１，Ｇ１，Ｂ１を出力する。３色分解信号Ｒ１，Ｇ１，Ｂ１は、無彩色／有彩色判定手段１２０１に入力され、その画素が、白黒画素（無彩色）かあるいはカラー画素（有彩色）かを判定し、判定信号ＫＣを出力する。
【０００３】
また、３色分解信号のうちＧ１信号は文字／画像判定手段１１１に入力され、その画素が、文字や細線などの線画像か、または写真画像や印刷画像などの連続階調画像かを判定し、文字／画像判定信号ＴＩを出力する。文字／画像判定信号ＴＩは空間フィルタ係数記憶手段１１２に入力され、対応画素が文字信号の時は図１３に示す文字用空間フィルタ係数１３０１を、画像信号の時は図１３に示す画像用空間フィルタ係数１３０２を選択する。
【０００４】
以下、従来のエッジ強調などの空間フィルタ処理について説明する。図１３に５×５画素の文字用空間フィルタ係数１３０１と画像用空間フィルタ係数１３０２の一例を示す。文字用空間フィルタ係数１３０１は、画像用の係数１３０２に比べて大きなエッジ強調がかかるように係数が決められている。
文字／画像判定信号ＴＩに従って選択された文字用または画像用の空間フィルタ係数Ｋｉｊは、エッジ強調手段１０３−Ｒ，１０３−Ｇ，１０３−Ｂに設定され、３色分解信号Ｒ１，Ｇ１，Ｂ１に対し各々エッジ強調し、Ｒ２，Ｇ２，Ｂ２を出力する。
【０００５】
図１４にエッジ強調手段１０３−Ｒの一例を示す。点線枠１４０１はエッジ強調手段１０３−Ｒの中のデータ遅延回路を表しており、エッジ強調手段１０３−Ｒに入力されたＲ信号は、ラインメモリ８０１，８０２，８０３，８０４で４ライン分の画像データが記憶される。記憶されていた４ラインおよび注目ラインの計５ライン分の画像データは、次に各ライン毎に順次フリップフロップを介して連続する５画素のデータ（Ｘｊ１〜Ｘｊ５）が取り出される。
【０００６】
５ライン各５画素の計２５個のＲ信号（Ｘｊｉ：１≦ｉ≦５）は、次に点線枠１４０２で表わされるエッジ強調演算回路によって、点線枠１４０３で表わされる各画素配列に対応する空間フィルタ係数（ａｊｉ：１≦ｉ≦５，１≦ｊ≦５）と掛け合わされ、加算される。
このとき、２５画素分の乗算器（１４０４〜１０２８）２５個と、各々の乗算結果の加算器（１４２９〜１４５２）２４個が必要になる。
【０００７】
以上、従来のＲ信号における空間フィルタ処理について説明してきたが、Ｇ信号、Ｂ信号についても全く同様であり、ＲＧＢ信号トータルの処理回路は、ラインメモリ：１２ライン（４ライン×３色）、乗算器：７５個（２５個×３色）、加算器：７２個（２４個×３色）の回路規模となる。
次に、エッジ強調された図１２に示す３色分解信号Ｒ２，Ｇ２，Ｂ２は、輝度／濃度変換手段１０６に入力され、３色分解信号Ｒ２，Ｇ２，Ｂ２に対し対数変換などによって濃度信号Ｃ１，Ｍ１，Ｙ１に変換される。濃度信号Ｃ１，Ｍ１，Ｙ１は次に色補正手段１０７によって、黒信号Ｋの生成や、下色除去、色補正などの色処理がなされ、濃度信号Ｃ２，Ｍ２，Ｙ２，Ｋ２を出力する。
【０００８】
色補正手段１０７は前記無彩色／有彩色判定手段１２０１の判定結果である判定信号ＫＣに従って、対象画素が無彩色の時は濃度信号Ｃ２，Ｍ２，Ｙ２をＣ２＝Ｍ２＝Ｙ２＝０とし、黒単色からなる画素に変換する。１１０はカラー画像出力手段であり、電子写真方式やインクジェット方式のプリンタなど画像記録装置から構成されている。
【０００９】
このカラー画像出力手段が２値のプリンタなどのとき、濃度信号Ｃ２，Ｍ２，Ｙ２，Ｋ２は２値化手段１０８によって２値画素Ｃ３，Ｍ３，Ｙ３，Ｋ３に変換される。
また、前記カラー画像入力手段１０１から入力された画像の解像度とカラー画像出力手段１１０で出力される画像の解像度が異なるとき、２値画像Ｃ３，Ｍ３，Ｙ３，Ｋ３は平滑化／解像度変換手段１０９によって解像度変換処理が施され、Ｃ４，Ｍ４，Ｙ４，Ｋ４に変換される。特にカラー画像出力手段１１０の解像度がカラー画像入力手段１０１の解像度より高いとき、画像の輪郭部を滑らかに補間する平滑化処理が行われ、その結果がカラー画像出力手段１１０によって、印刷記録される。
【００１０】
【発明が解決しようとする課題】
しかしながら、上述のように従来の画像のエッジ強調は、同一の構成がＲ信号（１０３−Ｒ）、Ｇ信号（１０３−Ｇ）、Ｂ信号（１０３−Ｂ）を処理するためにそれぞれの信号毎に具備されており、特に画像入力手段としてＣＣＤラインイメージセンサを用いたカラー複写機イメージリーダ部からの画像信号に対して、前述の５×５画素サイズの２次元平面空間フィルタ処理を行なうためには、前述のように多くのラインメモリ、乗算器、加算器を必要とし、コスト面での負荷が大きくかかっている。
【００１１】
また画質面においては、前述の色補正手段１０７が、前記無彩色／有彩色判定手段１２０１の判定結果に従って、対象画素が無彩色の時は濃度信号Ｃ２，Ｍ２，Ｙ２をＣ２＝Ｍ２＝Ｙ２＝０とし、黒単色からなる画素に変換するため、Ｃ２，Ｍ２，Ｙ２で得られる濃度が欠損し、濃度が薄くなるという問題があった。
本発明は、上述の課題に鑑みてなされたもので、その第１の目的とするところは画質の劣化を抑制しつつエッジ強調等の空間周波数特性の補正を行うこと、また、その補正に関わるコストの負荷を軽減すること、第２の目的とするところは、画像濃度の過不足なしに無彩色信号に対し黒単色化ができるカラー画像処理装置を提供することである。
【００１２】
【課題を解決するための手段】
上記の目的を達成するため、本発明は例えば以下の構成を備える。
即ち、入力された画像信号に尖鋭度補正を行う画像処理装置であって、前記入力された画像信号から明度信号および色度信号を抽出する抽出手段と、前記明度信号に基づきエッジ量を抽出するエッジ量抽出手段と、前記色度信号に基づき彩度成分を抽出する彩度抽出手段と、前記彩度抽出手段で抽出される前記彩度成分に基づいて前記入力された画像信号が有彩色であるか無彩色であるかを判定する無彩色有彩色判定手段と、前記彩度抽出手段で抽出される彩度成分および前記無彩色有彩色判定手段で判定された判定結果に応じて前記エッジ量抽出手段で抽出されたエッジ量に基づくエッジ部の強調量を前記明度信号と前記色度信号とに分配する分配手段と、前記分配手段で分配されたエッジ部の強調量で前記明度信号および色度信号を補正するエッジ強調手段とを備え、前記分配手段は、前記明度信号に対して、前記無彩色有彩色判定手段により無彩色と判定された場合には前記強調量をすべて分配し、有彩色と判定された場合には、さらに前記彩度成分と予め定められた第１の閾値とを比較して、該彩度成分が該閾値よりも大きい場合には前記強調量の分配を行わず、前記彩度成分が前記第１の閾値よりも小さい場合には該彩度成分が高くなるにつれて前記明度信号に対する分配比率が小さくなるように前記強調量を分配し、前記色度信号に対して、前記無彩色有彩色判定手段によって無彩色と判定された場合には前記強調量の分配を行わず、有彩色と判定された場合には、さらに前記彩度成分と予め定められた第２の閾値とを比較して、該彩度成分が該第２の閾値よりも大きい場合には前記強調量をすべて分配し、前記彩度成分が前記第２の閾値よりも小さい場合には該彩度成分が高くなるにつれて前記色度信号に対する分配比率が大きくなるように前記強調量を分配することを特徴とする。
【００２１】
【発明の実施の形態】
（第１の実施の形態例）
以下、添付図面を参照して、本発明に係る一発明の実施の形態例を詳細に説明する。
図１は、本発明に係る第１の発明の実施の形態例に係るカラー画像処理装置の構成を示すブロック図である。図１において、上述した図１２と同様構成には同一番号を付し詳細説明を省略する。
【００２２】
図において、１０１はイメージリーダ部などで構成されるカラー画像入力手段であり、このほか、例えばカラーイメージスキャナなど原稿画像の読み取り装置や、広義においてはコンピュータからの画像入力部などを含め、種々のカラー画像処理装置の画像入力部で構成できる。
図１中の他の１０６，１０７，１０８，１０９，１１０，１１１，１１２は、それぞれ図１２に示す従来例で説明したように作用する輝度／濃度変換手段（１０６）、色補正手段（１０７）、２値化手段（１０８）、平滑化／解像度変換手段（１０９）、カラー画像出力手段（１１０）、文字／画像判定手段（１１１）、空間フィルタ係数記憶手段（１１２）である。
【００２３】
カラー画像入力手段１０１によって読み取られたカラー画像の３色分解信号Ｒ１，Ｇ１，Ｂ１の一つであるＧ１信号は、文字／画像判定手段１１１に入力され、文字／画像判定手段１１１でその画素が文字や細線などの線画像か、または写真画像や印刷画像などの連続階調画像かという画調が判定される。文字／画像判定手段１１１は判定結果を文字／画像判定信号ＴＩとして出力する。
【００２４】
文字／画像判定信号ＴＩは、空間フィルタ係数記憶手段１１２に入力される。空間フィルタ係数記憶手段１１２は、文字用空間フィルタ係数と画像用空間フィルタ係数を記憶しており、対応画素が文字信号の時は文字用空間フィルタ係数を、画像信号の時は画像用空間フィルタ係数を選択し、文字用または画像用の空間フィルタ係数Ｋｉｊとして出力する。
【００２５】
この本発明の実施の形態例における空間フィルタ係数記憶手段１１２が記憶する空間フィルタ係数Ｋｉｊの例を図２に示す。図２中２０１が文字用空間フィルタ係数、２０２が画像用空間フィルタ係数を表している。
ここで、前述した従来例における文字用または画像用の空間フィルタ係数Ｋｉｊと本発明の実施の形態例における文字用または画像用の空間フィルタ係数Ｋｉｊとの差について説明する。上述した図１３に示す従来例における文字用または画像用の空間フィルタ１３０１または１３０２は、その直流成分は１であるのに対し、本発明の実施の形態例での文字用または画像用の空間フィルタ２０１または２０２は、その直流成分を０としている点が大きく異なる点である。即ち、エッジ成分の無い画像平坦部に対し、従来例の空間フィルタ処理後の出力Ｊ値は入力画像信号値のまま出力するのに対し、本発明の実施の形態例での空間フィルタ処理後の出力値は０となるように構成している点が大きく異なる点である。
【００２６】
一方、カラー画像入力手段１０１よりのカラー画像の３色分解信号Ｒ１，Ｇ１，Ｂ１の３信号は、色分解手段といえる第１の色空間変換手段１０２に入力され、明るさを表わす明度信号Ｌ１、および色味を表わす色度信号（Ｃａ１，Ｃｂ１）に変換される。明度信号Ｌ１および色度信号（Ｃａ１，Ｃｂ１）は、測色的に”ＣＩＥ１９７６（Ｌ*ａ*ｂ*）色空間”の３変色Ｌ*，ａ*，ｂ*であっても、あるいは”ＣＩＥ１９７６（Ｌ*，ｕ*，ｖ*）色空間”の３変色Ｌ*，ｕ*，ｖ*であっても良く、その色空間に限定されない。さらに簡易的に決められた任意の色空間でも良い。
【００２７】
３色分解信号Ｒ，Ｇ，Ｂを明度および色度信号Ｌ１，Ｃａ１，Ｃｂ１に簡易的に変換する変換式の一発明の実施の形態例を以下に式（１）で示す。
【００２８】
【数１】
Ｌ  ＝（Ｒ＋２Ｇ＋Ｂ）／４
Ｃａ＝（Ｒ−Ｇ）／２                …（１）
Ｃｂ＝（Ｒ＋Ｇ−２Ｂ）／４
第１の色空間変換手段１０２によって変換された明度信号Ｌ１および色度信号（Ｃａ１，Ｃｂ１）は、遅延手段１０３に入力され、明度信号Ｌ１に対しＮライン、色度信号（Ｃａ１，Ｃｂ１）に対しＮ／２ライン分の信号が遅延される。より具体的には、図２に示す様に５×５画素のフィルタ処理をおこなうとき、明度信号Ｌ１に対し４ライン、色度信号（Ｃａ１，Ｃｂ１）に対しその半分の２ライン分の信号が記憶され、この記憶された信号が出力より出力されるまでの時間遅延されることになる。
【００２９】
遅延手段１０３によってＮライン分遅延された明度信号Ｌ１は、図１には図示していないが、実際には遅延された４ラインおよび現在のライン計５ライン分のデータとなって、エッジ強調量抽出手段１１３に入力される。そしてエッジ強調量抽出手段１１３で、文字／画像判定信号ＴＩによって選択された文字用または画像用の空間フィルタ係数Ｋｉｊを用いてエッジ強調量εが抽出される。
【００３０】
なお、このデータ遅延と続く画像処理部分については、後に図３を用いて詳細を説明する。
つぎにエッジ強調量εはエッジ強調量分配手段１１６に入力し、同時にエッジ強調量分配手段１１６に入力される後述する彩度信号Ｓに大きさによって、明度信号Ｌ１のエッジ強調補正量εｌと色度信号（Ｃａ１，Ｃｂ１）のエッジ強調補正量εｃに分配される。一方、遅延手段１０３によって遅延された色度信号（Ｃａ１，Ｃｂ１）は、図１では図示していないが、実際には遅延された２ラインおよび現在のライン計３ライン分のデータとなって、彩度量抽出手段１１４に入力され、色の鮮やかさを表わす彩度信号Ｓが生成される。
【００３１】
この本発明の実施の形態例における色度信号（Ｃａ１，Ｃｂ１）から彩度信号Ｓを生成する方法について以下に簡単に説明する。
色度信号（Ｃａ１，Ｃｂ１）が、前述のＣＩＥ１９７６（Ｌ*ａ*ｂ*）色空間における信号（ａ*，ｂ*）やＣＩＥ１９７６（Ｌ*，ｕ*，ｖ*）色空間における信号（ｕ*，ｖ*）であるとき、彩度信号Ｓは以下に示す式（２）によって決められる。
【００３２】
【数２】
Ｓ＝（Ｃａ１2＋Ｃｂ１2）0.5            …（２）
さらに簡易的には、彩度信号Ｓは以下に示す式（３）によって決められても良い。
【００３３】
【数３】
Ｓ＝ＭＡＸ（Ｃａ１，Ｃｂ１）            …（３）
ここで、関数ＭＡＸ（Ａ，Ｂ）は、変数Ａ，Ｂのうち大きいほうの値を出力する。
また、エッジ強調量分配手段１１６には、エッジ強調量εと彩度信号Ｓのほかに無彩色／有彩色判定手段１１５からの判定信号ＫＣも入力される。無彩色／有彩色判定手段１１５は、上述した図１２に示すの説明で述べた無彩色／有彩色判定手段１２０１と同様に、その画素が白黒（無彩色）であるかカラー（有彩色）であるかを判定し、判定信号ＫＣを出力するものであるが、本発明の実施の形態例においては、入力信号がＲＧＢ信号であった無彩色／有彩色判定手段１２０１と異なり、無彩色／有彩色判定手段１１５への入力信号が色の鮮やかさを表わす彩度信号Ｓであることである。ただし、前述のように、彩度信号Ｓは、遅延手段１０３によって遅延された３ライン分の色度信号（Ｃａ１，Ｃｂ１）が彩度量抽出手段１１４に入力され、生成されたものであるから、無彩色／有彩色判定手段１１５への入力信号は彩度信号Ｓおよびそのもと信号である色度信号（Ｃａ１，Ｃｂ１）を入力してもよい（そのときは、図１の彩度量抽出手段１１４へ入力されている（Ｃａ１，Ｃｂ１）信号を彩度信号Ｓと共に無彩色／有彩色判定手段１１５へも入力するように構成すれば良い。）。
【００３４】
次に、図３を用いて、本発明の実施の形態例における上述した遅延手段１０３及びその周辺手段であるエッジ強調量抽出手段１１３、彩度量抽出手段１１４、無彩色／有彩色判定手段１１５について詳細に説明する。
第１の色空間変換手段１０２から出力された明度信号Ｌ１および色度信号（Ｃａ１，Ｃｂ１）は、遅延手段１０３を構成するラインメモリ８０１〜８０４によって、明度信号Ｌ１に対し４ライン、ラインメモリ８０５，８０６によって、明度信号の中心画素に同期させるため、色度信号Ｃａ１に対し２ライン、ラインメモリ８０５，８０６によって、色度信号Ｃｂ１に対し２ライン分の信号が記憶される。
【００３５】
今、中心ラインをｊラインとすると、明度に対してはｊ−２，ｊ−１，ｊ，ｊ＋１ラインが記憶され、現在のラインｊ＋２を含めた５ライン分の明度信号がエッジ強調量抽出手段１１３に入力される。このように明度に対しては上述した図１３に示す従来例と同等である。
一方、色度信号Ｃａ１に対しては、遅延手段１０３のラインメモリ８０５，８０６によってｊ，ｊ＋１ラインが記憶され、現在のラインｊ＋２を含めた３ライン分の色度信号Ｃａ１が彩度量抽出手段１１４、無彩色／有彩色判定手段１１５に入力される。一方、色度信号Ｃｂ１も同様にして彩度量抽出手段１１４、無彩色／有彩色判定手段１１５に入力される。すなわち、本発明の実施の形態例においては、色度信号Ｃａ１，Ｃｂ１に対して各々２ライン分のラインメモリ、計４ライン分のメモリを要するものの、色度信号Ｃａ１，Ｃｂ１に対しては空間フィルタ処理を行わないので、色度信号Ｃａ１，Ｃｂ１のために要する乗算器、加算器の数は０個である。
【００３６】
さらに本発明の実施の形態例では、彩度信号Ｓや無彩色／有彩色判定信号ＫＣの算出に当たって、前述の式（２）や式（３）を用いた算出方法を、ｊ，ｊ＋１，ｊ＋２ラインの３ライン分データを用いて空間的な処理を行うことも考えられる。
例えば、彩度信号Ｓは３×３サイズの隣接画素の彩度信号を平均して、平均値を彩度信号Ｓと代表することもできるし、無彩色／有彩色判定信号ＫＣも、同様に３×３サイズの隣接画素の判定結果を統計的に処理し、結果を無彩色／有彩色判定信号ＫＣと代表値ＫＣとすることもできる。以上のいずれの方法を採用しても良いことは勿論である。
【００３７】
ここでは、空間的な処理を行ない、彩度信号Ｓを求め、求められた彩度信号Ｓによって、判定信号ＫＣを算出する方法について説明する。この方法においては、彩度信号Ｓが小さいとき、その画素が、白黒（無彩色）であり、彩度信号Ｓが大きいとき、その画素が、カラー（有彩色）であることがわかる。よって簡易的には、判定信号ＫＣは、予め決められた閾値ρを用いて式（４）によって決められる。
【００３８】
【数４】
（Ｓ＜ρのとき）ＫＣ＝無彩色          …（４）
（ρ≦Ｓのとき）ＫＣ＝有彩色
以下、本発明の実施の形態例におけるエッジ強調量分配手段１１６に入力されたエッジ強調量ε、彩度信号Ｓ、無彩色／有彩色判定信号ＫＣによって、エッジ強調補正量εｌ，εｃを生成するプロセスについて説明する。
【００３９】
まず明度信号Ｌ１に対するエッジ強調補正量εｌについて説明する。本例においては、基本的に、彩度が低い（無彩色に近い）程明度信号に対するエッジ強調量εの配分を多くし、無彩色信号画素に対しては全エッジ強調量εをεｌに割り当てる。また、予め決められた閾値以上の彩度を有する画素に対しては明度信号に対するエッジ補正を行わない。
【００４０】
本発明の実施の形態例におけるエッジ強調量分配の明度信号に対するエッジ強調補正量生成処理を図４のフローチャートおよび図５の模式図を用いて説明する。図４は本発明の実施の形態例におけるエッジ強調量分配の明度信号に対するエッジ強調補正量生成処理を示すフローチャート、図５は本発明の実施の形態例におけるエッジ強調量分配の明度信号に対するエッジ強調補正量を表わす模式図である。
【００４１】
図４のＳＴＥＰ１において、まず無彩色／有彩色判定信号ＫＣを判定し、対象画素の無彩色／有彩色判定信号ＫＣが無彩色か（黒か）有彩色かに従い分岐する。判定信号ＫＣが無彩色を示すとき（図中ＳＴＥＰ１−ＹＥＳ方向）、全エッジ強調量εをεｌに割り当て、γ＝１となる。
一方、判定信号ＫＣが有彩色を示すとき（図中ＳＴＥＰ１−ＮＯ方向）にはＳＴＥＰ２に進み、ＳＴＥＰ２において彩度信号Ｓを用いて対象画素の鮮やかさを見る。もし対象画素が予め決められた閾値ηより彩度が高いとき（図中ＳＴＥＰ２ＹＥＳ方向）にはεｌ＝０とし、明度信号のエッジ補正を行わない（γ＝０）。これは、彩度の高い画素に対しては、明るさを保持し彩度の強弱をつけることによるエッジ効果が高い経験則に基づく。
【００４２】
一方ＳＴＥＰ２において、対象画素が予め決められた閾値ηより彩度が低く、かつ無彩色と判定されない程度に彩度を有するとき（図中ＳＴＥＰ２−ＮＯ方向）、予め決められた第２の閾値αを用いεｌ＝０とεｌ＝εの間を以下に示す式（５）に従い連続的に繋いでいく。
【００４３】
【数５】
εｌ＝（１−（Ｓ−α）／（η−α））ε
γ  ＝（１−（Ｓ−α）／（η−α））          …（５）
図５は、上記のγの遷移を模式的に表わす図で、横軸に彩度、縦軸にγを取ってある。彩度が０から無彩色判定される彩度値（閾値α）までは、εｌ＝εとし、γ＝１である。彩度が閾値αからηまでは、
γ＝（１−（Ｓ−α）／（η−α））
で彩度が高くなるに従い連続的に減少する。
【００４４】
彩度が閾値ηより高いとき、εｌ＝０とし、γ＝０である。
次に色度信号（Ｃａ１，Ｃｂ１）に対するエッジ強調補正量εｃについて説明する。色度信号に対しては、基本的に明度信号の場合とは逆に、彩度が高い（鮮やかな色）程色度信号に対するエッジ強調量εの配分を多くし、無彩色信号画素に対してはエッジ補正を行わず、更には対象画素の色度信号も除去する。
【００４５】
これはカラー複写機などにおける画像処理装置の場合、黒い文字などの複写画像に対して色成分が残ることは、視覚的に非常に画像品位が悪い結果となるためである。よってこのような画素に対しては色成分をカットし、完全な無彩色信号に色補正する必要があるからである。
これを図６のフローチャートおよび図７の模式図を用いて説明する。図６は本発明の実施の形態例におけるエッジ強調量分配の色度信号に対するエッジ強調補正量生成を示すフローチャート、図７は本発明の実施の形態例におけるエッジ強調量分配の色度信号に対するエッジ強調補正量を表わす模式図である。
【００４６】
図６のＳＴＥＰ１において、まず無彩色／有彩色判定信号ＫＣを判定し、対象画素の無彩色／有彩色判定信号ＫＣが無彩色か（黒か）有彩色かに従い分岐する。判定信号ＫＣが無彩色を示すとき（図中ＳＴＥＰ１−ＹＥＳ方向）、前述した様にエッジ強調量εを０とする（γ＝０）。
一方判定信号ＫＣが有彩色を示すとき（図中ＳＴＥＰ１−ＮＯ方向）にはＳＴＥＰ２に進み、彩度信号Ｓを用いて対象画素の鮮やかさを見る。もし対象画素が予め決められた閾値λより彩度が高いとき（図中ＳＴＥＰ２−ＹＥＳ方向）、全エッジ強調量εをεｃに割り当て、εｃ＝εとする（γ＝１）。
【００４７】
一方、対象画素が予め決められた閾値λ２より彩度が低くかつ無彩色と判定されない程度に彩度を有するとき（図中ＳＴＥＰ２−ＮＯ方向）には、予め決められた第２の閾値λ１を用いγ＝０とγ＝１の間を以下に示す式（６）に従い連続的に繋いでいく。
【００４８】
【数６】
γ＝（Ｓ−λ１）／（λ２−λ１）      …（６）
さらに、色度信号に対するエッジ強調補正量εｃは、以下に示す式（７）に従って求められる。
【００４９】
【数７】
εｃ＝γ（１−ε／ｋ）                …（７）
図７は、上記のγの遷移状態を表わす図であり、横軸に彩度、縦軸にγを取ってある。彩度が０から無彩色判定される彩度値（閾値λ１）までは、εｌ＝０都市、γ＝０である。彩度が閾値λ１からλ２までは、γ＝（Ｓ−λ１）／（λ２−λ１）で彩度が高くなるに従い連続的に増加する。彩度が閾値λ２より高いとき、εｌ＝εとしγ＝１である。
【００５０】
以上の様にして生成されたエッジ強調補正量εｌ，εｃは、Ｌ，Ｃａ，Ｃｂ信号と共にエッジ強調手段１０４に入力される。そして以下に示す式（８）に従ってエッジ強調手段１０４で明度信号Ｌに対してはエッジ強調補正量εｌが加算され、色度信号Ｃａ，Ｃｂに対してはエッジ強調補正量εｃが乗算される。
【００５１】
【数８】
0003787393.tif 000002
式（８）から分かるように、信号Ｌに対してはエッジ補正量εｌを加算することにより、彩度が高く明度にエッジ強調したくない画素（εｌ＝０）において明度を保存することができる。
【００５２】
一方、信号Ｃａ，Ｃｂに対してはエッジ補正量εｃを乗算し、特に彩度が低く無彩色と判断できる画素に対してはεｃ＝０を乗算することで、対象画素そのものの色度成分を除去することができる。
次に、色度信号のエッジ強調に対する色味（色相）の保存性について図８を参照して説明する。図８は本発明の実施の形態例における色度信号のエッジ強調に対する色味（色相）の保存性について説明する模式図であり、色度信号（Ｃａ１、Ｃｂ１）方向を座標軸とする色度座標を表わす。
【００５３】
以下においては、説明を簡単にするため、ＣａおよびＣｂ軸はＣＩＥ１９７６（Ｌ*ａ*ｂ*）色空間におけるａ*，ｂ*軸とする。ａ*，ｂ*軸の交点Ｏは無彩色を表わし、交点Ｏより離れるほど彩度が高く、ａ*軸とのなす角が色味（色相）を表わす。
いま、対象画素が色度信号Ｃａ１（７０２），Ｃｂ１（７０３）のとき、この色は色度座標上でベクトル７０１で表わされる。
【００５４】
式（８）に従い色度信号（Ｃａ１，Ｃｂ１）にエッジ補正量εｃを乗算し生成されるエッジ強調後の信号（Ｃａ２，Ｃｂ２）＝（εｃＣａ１，εｃＣｂ１）は、色度座標上でベクトル７０４で表わされるが、図８に示すようにａ*軸とのなす角は変わらず、色味（色相）がエッジ強調前後で保存される。即ち、本例においては、エッジ強調により鮮やかさは強調されるが、色味の変化はないことを表している。
【００５５】
以上のようにしてエッジ強調手段１０４でエッジ強調された信号Ｌ２，Ｃａ２，Ｃｂ２は、エッジ強調手段１０４より第２の色空間変換手段１０５に入力され、再度ＲＧＢ信号に逆変換される。
式（９）は、第２の色空間変換手段１０５における明度および色度信号Ｌ２，Ｃａ２，Ｃｂ２を３色分解信号Ｒ２，Ｇ２，Ｂ２に変換する変換式の一例を示す式であり、式（１）の逆変換係数である。
【００５６】
【数９】
Ｒ＝（４Ｌ＋４Ｃａ＋２Ｃｂ）／４
Ｇ＝（４Ｌ−３Ｃａ＋２Ｃｂ）／４          …（９）
Ｂ＝（４Ｌ＋Ｃａ−６Ｃｂ）／４
このようにしてＲＧＢ信号に逆変換された３色分解信号は、続いて輝度／濃度変換手段１０６に入力され、濃度信号Ｃ１，Ｍ１，Ｙ１に変換される。濃度信号Ｃ１，Ｍ１，Ｙ１は次に色補正手段１０７に送られ、ここで黒信号Ｋの生成や、下色除去、色補正などの色処理がなされ、濃度信号Ｃ２，Ｍ２，Ｙ２，Ｋ２として出力される。
【００５７】
また、本発明の実施の形態例においては、無彩色／有彩色判定手段１１５の判定結果である判定信号ＫＣおよび文字／画像判定手段１１１の判定結果である判定信号ＴＩが黒文字／色文字／画像判定手段１１７に入力され、ここで黒文字か、色文字か、あるいは画像かが判定される。黒文字／色文字／画像判定手段１１７での判定結果が黒文字／色文字／画像の判定信号ＴＣとして出力され、色補正手段１０７に入力される。このため、色補正手段１０７においては、この黒文字／色文字／画像判定信号ＴＣに従って、色補正を変える。
【００５８】
例えば、画像信号に対してはハイライトの色再現性を重視した色補正を行い、色文字や黒文字信号に対しては下地色を飛ばしたハイライト再現を除去した色補正を行なう。
同様に、２値化手段１０８、平滑化／解像度変換手段１０９においても、文字／画像判定手段１１１の判定結果である判定信号ＴＩを参照させながら、それぞれの処理を実施し、最終的な平滑化／解像度変換手段１０９よりの出力画像信号Ｃ４，Ｍ４，Ｙ４，Ｋ４がカラー画像出力手段１１０に送られ、カラー画像出力手段１１０よりカラー画像が印刷出力される。
【００５９】
以上説明したように本発明の実施の形態例によれば、明度に対するエッジ量を抽出し、彩度成分に応じて該エッジ量を明度信号および色度信号に分配し、エッジ強調補正を行ない、エッジ強調手段は、無彩色有彩色判定手段によって画像が無彩色と判定された場合、色度信号に対し色度成分を除去する補正を行ない、画像の黒単色化を実現することにより、エッジ強調補正における必要ラインメモリを従来に比し大幅に減少させることができ、例えば従来１２ライン分必要であったものが８ラインで構成することができ、従来の２／３に減少させることが可能となる。
【００６０】
更に、他といえば上述した例においては、必要乗算器も従来の７５個に対し２５個にすることができ、１／３に減少させることができ、必要加算器も従来７２個に対し２４個にすることができ、やはり１／３に減少させることができ、大幅な回路規模の縮小が実現できる。
また、遅延手段による遅延色差信号を用いることにより、新たに遅延回路を持たなくても色度信号に対し空間的な画像処理が実現でき、注目画素が無彩色と判定された場合、色度信号に対し色度成分を除去する補正を行うことで、画質を劣化させることなくエッジ強調に関わるコストの負荷を軽減することができるとともに、画像濃度の過不足なしに無彩色信号に対する黒単色化ができるなど画像品質の向上が実現される。
【００６１】
（第２の発明の実施の形態例）
以下、図９を参照して、本発明に係る第２の発明の実施の形態例を詳細に説明する。図９において上述した図１に示す第１の発明の実施も形態例と同様構成には同一番号を付し詳細説明を省略する。第２の発明に実施の形態例において図１に示す第１の発明の実施の形態例と異なる点は、図１の構成に更に原稿画像色判定手段９０１を設けている点である。
【００６２】
図９に示す構成を備える第２の発明の実施の形態例では、カラー画像処理がカラー複写機において実施される時を想定したものであり、複写原稿がカラー原稿か白黒原稿かを予め判定する原稿色判定を行なう。
原稿画像色判定手段９０１により複写原稿がカラー原稿か白黒原稿かを予め判定するとき、実際の複写動作のための原稿読み取りの前に原稿画像全面を予め読み取る動作（プリスキャン）が行われる。プリスキャンが始まりカラー画像入力手段１０１によって原稿画像が読み取られると、読み込まれた原稿画像各画素の３色分解信号Ｒ１，Ｇ１，Ｂ１は第１の色空間変換手段１０２に入力され、明度信号Ｌ１、および色度信号（Ｃａ１，Ｃｂ１）に変換される。色度信号（Ｃａ１，Ｃｂ１）は遅延手段１１３を介して彩度量抽出手段１１４に送られ、彩度量抽出手段１１４によって彩度量が抽出され、彩度信号Ｓが出力される。
【００６３】
各画素の彩度信号Ｓは、原稿画像色判定手段９０１に入力され、彩度信号Ｓを原稿画像全面について統計処理を行ない、複写原稿がカラーか白黒かを予め判定する。原稿画像色判定手段９０１による彩度信号Ｓの統計処理の一例としては、原稿画像全面について彩度信号Ｓのヒストグラムをとり、閾値によって判定するなどの方法が考えられる。
【００６４】
図１０に白黒画像原稿とカラー画像原稿の彩度信号Ｓのヒストグラムの例を模式的に示す。図１０中、上側に示す白黒原稿画像において、累積画素１００１は白黒画像原稿の下地色（白）および画像部分を表わし、どちらも彩度０に画素が分布し、彩度Ｓの高い領域（カラー画像領域）には累積画素がない。
一方、下側に示す累積画素１００２は、カラー画像原稿の下地色（白）および無彩色画像部分を表わし、この他にカラー画像部分の累積画素１００３が、分布している。
【００６５】
これらの違いを判定する方法の一例として、ヒストグラム中のカラー画像領域（Ｓ≧Ｓｔｈ）において、累積画素Ｎが一定の閾値以上（Ｎ≧Ｔｈ）に存在するか否かで判定する方法が考えられる。第２の発明の実施の形態例においては、カラー画像領域（Ｓ≧Ｓｔｈ）に一定閾値≧（Ｎ≧Ｔｈ）の累積画素が存在する場合（１００３）にその画像原稿はカラー画像原稿と判定し、カラー画像領域（Ｓ≧Ｓｔｈ）に一定閾値≧（Ｎ≧Ｔｈ）の累積画素が存在しない場合を白黒画像原稿と判定する。
【００６６】
原稿画像色判定手段９０によって判定された判定結果は、第１の色空間変換手段１０２に入力される。第１の色空間変換手段１０２は、原稿画像色判定手段９０による判定結果が白黒画像原稿の場合には、強制的にＣａ＝Ｃｂ＝０を出力して３色分解信号Ｒ１，Ｇ１，ＮＢ１を完全な無彩色信号に変換する。
その後は、上述した第１の実施の形態例で説明したように、無彩色画像に対しエッジ強調は明度信号Ｌのみに実施される。ただし、第２の発明の実施の形態例においては色差信号はエッジ強調後もＣａ＝Ｃｂ＝０である。さらに輝度濃度変換、色補正処理、２値化、平滑／解像度変換などがされ、電子写真プリンタなどから構成されるカラー画像出力手段１０９から黒単色の出力がされ白黒複写が完了する。
【００６７】
一方、原稿画像色判定手段９０による判定結果がカラー画像原稿の場合には上述した第１の発明の実施の形態例と同様の処理を行なう。
以上説明したように第２の発明の実施の形態例によれば、上述した第１の発明の実施の形態例と同様の作用効果を達成できるとともに、更に、原稿画像色判定手段９０１により複写原稿がカラー原稿か白黒原稿かを予め判定するため、白黒画像に対してエッジ強調後も色差信号をＣａ＝Ｃｂ＝０とでき、確実に色度成分を除去することができ、画質を劣化させることなくエッジ強調に関わるコストの負荷を軽減することができるとともに、画像濃度の過不足なしに無彩色信号に対する黒単色化ができるなど画像品質の向上が実現される。
【００６８】
なお、判定結果が白黒画像原稿の場合には、色補正手段１０７の出力のうち、Ｃ2＝Ｍ2＝Ｙ2＝０としてもよい。
【００６９】
（第３の発明の実施の形態例）
以下、図１１を参照して本発明に係る第３の発明の実施の形態例を詳細に説明する。図１１において上述した図１に示す第１の発明の実施も形態例と同様構成には同一番号を付し詳細説明を省略する。第３の発明に実施の形態例において図１に示す第１の発明の実施の形態例と異なる点は、図１の構成に更にカラーモード指定手段１１０１を設けている点である。カラーモード指定手段１１０は操作者による操作入力が可能なキー入力部を備えており、該キースイッチ部よりカラー画像出力手段１１０による画像出力をフルカラーモードで出力するか、白黒（モノカラー）モードで出力するかを指定入力可能に構成されている。
【００７０】
以下の説明は、第３の発明の実施の形態例におけるカラー複写機においてカラー画像処理を実施する際における、複写画像をフルカラー出力するかまたは（白黒を含め）モノカラー出力するかの指定と、それに係わる画像処理の一例について説明する。
第３の発明の実施の形態例においては、複写原稿画像をモノカラー出力するときには、複写動作の前に先立ってカラーモード指定手段１１０１によって出力色の指定が行われる。具体的には、カラーモード指定手段１１０１のキー入力部を用いて、フルカラー／モノカラーの指定切り替えおよびモノカラー色相指定が行われる。
【００７１】
カラーモード指定手段１１０１によってモノカラーおよび色相の指定が行われると、モノカラー指定信号が出力され、第１の色空間変換手段１０２に入力される。また、色相指定信号もカラーモード指定手段１１０１から出力され、色補正手段１０７に入力される。
モノカラー指定信号が第１の色空間変換手段１０２に入力されると、第１の色空間変換手段１０２は入力される原稿画像の３色分解信号の色度信号をＣａ＝Ｃｂ＝０とする無彩色信号に変換する。これによって、カラー原稿画像をまず明るさの階調性のみを有する白黒原稿画像（無彩色画像）に変換する。
【００７２】
以下、前述の第１の発明の実施の形態例と同様にエッジ強調が明度信号Ｌのみに実施され、輝度濃度変換１０６によって濃度信号Ｃ１，Ｍ１，Ｙ１が生成される（Ｃ１＝Ｍ１＝Ｙ１）。
つぎに、色相指定信号が色補正手段１０７に入力されると、色補正手段１０７は指定色を再現する色補正を行う。例えば、色相をシアンに指定すると、色補正手段１０７はシアンＣ２のみの信号を出力し（Ｍ２＝Ｙ２＝Ｋ２＝０）、また、色相をレッド（マゼンタとイエローの混色）に指定すると色補正手段１０７はマゼンタＭ２およびイエローＹ２のみの信号を出力する（Ｃ２＝Ｋ２＝０）。
【００７３】
以上のように生成されたモノカラー信号は、第１及び第２の発明の実施の形態例と同様に２値化、平滑／解像度変換などがされ、電子写真プリンタなどから構成されるカラー画像出力手段１１０からモノカラー画像が印刷記録される。
以上説明したように第３の発明の実施の形態例においても、第２の発明の実施の形態例と同様の作用効果が達成できるとともに、更にモノカラー色相指定が可能となり、正確に所望の色相での画像出力が可能となる。
【００７４】
（他の発明の実施の形態例）
なお、本発明は、複数の機器（例えばホストコンピュータ，インタフェイス機器，リーダ，プリンタなど）から構成されるシステムに適用しても、一つの機器からなる装置（例えば、複写機，ファクシミリ装置など）に適用してもよい。
また、本発明の目的は、前述した実施形態の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、達成されることは言うまでもない。
【００７５】
この場合、記憶媒体から読出されたプログラムコード自体が前述した実施形態の機能を実現することになり、そのプログラムコードを記憶した記憶媒体は本発明を構成することになる。
プログラムコードを供給するための記憶媒体としては、例えば、フロッピディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００７６】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００７７】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【００７８】
また、上述の例では、空間周波数特性の補正の例として、エッジ強調を用いて説明をしたが、平滑化についても同様の考え方を適用できる。
また、上述の例では、文字／画像の判定結果に応じて空間フィルタ係数を制御したが、例えば、文字／画像／網点の判定結果に応じて制御してもよい。
【００７９】
以上説明したように本に係る発明の実施の形態によれば、エッジ強調補正における必要ラインメモリあるいは乗算器、加算器等の必要な回路構成を従来に比し大幅に減少させることができる。
また、遅延手段による遅延色差信号を用いて画像処理を行なうことにより、新たに遅延回路を持たなくても色度信号に対し空間的な画像処理が実現でき、注目画素が無彩色と判定された場合、色度信号に対し色度成分を除去する補正を行うことで、画質を劣化させることなくエッジ強調に関わるコストの負荷を軽減することができるとともに、画像濃度の過不足なしに無彩色信号に対する黒単色化ができるなど画像品質の向上が実現される。
【００８０】
【発明の効果】
以上説明したように本発明によれば、画質の劣化を抑制しつつエッジ強調等の空間周波数特性の補正を行うことができ、また、その補正に関わるコストの負荷を軽減することができる画像処理装置及び方法を提供することができる。
また、画像濃度の過不足なしに無彩色信号に対し黒単色化ができるカラー画像処理装置及び方法を提供することができる。
【図面の簡単な説明】
【図１】本発明に係る発明の実施の形態の一例の画像処理装置の構成を示すブロック図である。
【図２】本発明の実施の形態例で用いる空間フィルタ係数の例を示す図である。
【図３】本発明の実施の形態例における信号遅延手段の例を説明する図である。
【図４】本発明の実施の形態例におけるエッジ強調量分配の明度信号に対するエッジ強調補正量生成処理を示すフローチャートである。
【図５】本発明の実施の形態例におけるエッジ強調量分配の明度信号に対するエッジ強調補正量を表わす模式図である。
【図６】本発明の実施の形態例におけるエッジ強調量分配の色度信号に対するエッジ強調補正量生成を示すフローチャートである。
【図７】本発明の実施の形態例におけるエッジ強調量分配の色度信号に対するエッジ強調補正量を表わす模式図である。
【図８】本発明の実施の形態例における色度信号のエッジ強調に対する色味（色相）の保存性について説明する模式図である。
【図９】本発明に係る第２の発明の実施の形態例における画像処理装置の構成を示すブロック図である。
【図１０】第２の発明の実施の形態例における原稿画像色判定処理を説明するための彩度信号のヒストグラムの模式図である。
【図１１】本発明の係る第３の発明の実施の形態例における画像処理装置の構成を示すブロック図である。
【図１２】従来における画像処理装置の構成を示すブロック図である。
【図１３】従来における画像処理装置の空間フィルタ係数を示す図である。
【図１４】従来における画像処理装置の空間フィルタ処理回路を示す図である。
【符号の説明】
１０１  カラー画像入力手段
１０２  第１色空間変換手段
１０３  遅延手段
１０４  エッジ強調手段
１０５  第２色空間変換手段
１０６  輝度／濃度変換手段
１０７  色補正手段
１０８  ２値化手段
１０９  平滑化／解像度変換手段
１１０  カラー画像出力手段
１１１  文字／画像判定手段
１１２  空間フィルタ係数記憶手段
１１３  エッジ強調量抽出手段
１１４  彩度量抽出手段
１１５  無彩色／有彩色判定手段
１１６  エッジ強調量分配手段
１１７  黒文字／色文字／画像判定手段
２０１  文字用空間フィルタ係数
２０２  画像用空間フィルタ係数
７０１  対象画素色度ベクトル
７０２  対象画素色度信号Ｃａ１
７０３  対象画素色度信号Ｃｂ１
７０４  エッジ強調後対象画素色度ベクトル
７０５  エッジ強調後対象画素色度信号
７０６  エッジ強調後対象画素色度信号Ｃｂ２
８０１〜８０６  ラインメモリ
９０１  原稿画像色判定手段
１００１  白黒画像原稿累積画素
１００２  カラー画像原稿無彩色累積画素
１００３  カラー画像原稿カラー累積画素
１１０１  カラーモード指定手段
１２０１  無彩色／有彩色判定手段
１３０１  文字用空間フィルタ係数
１３０２  画像用空間フィルタ係数
１４０１  エッジ強調手段データ遅延部
１４０２  エッジ強調手段空間フィルタリング演算部
１４０４〜１４２８  乗算器
１４２９〜１４５２  加算器
【図１】
0003787393.tif 000003
【図２】
0003787393.tif 000004
【図３】
0003787393.tif 000005
【図４】
0003787393.tif 000006
【図５】
0003787393.tif 000007
【図６】
0003787393.tif 000008
【図７】
0003787393.tif 000009
【図８】
0003787393.tif 000010
【図９】
0003787393.tif 000011
【図１０】
0003787393.tif 000012
【図１１】
0003787393.tif 000013
【図１２】
0003787393.tif 000014
【図１３】
0003787393.tif 000015
【図１４】
0003787393.tif 000016